(57)【特許請求の範囲】
【請求項１】
複数の管理対象装置と、複数の管理対象装置と接続された少なくとも一つの中継ワークステーションと、該中継ワークステーションに通信路を介して接続された監視センタとを備え、上記中継ワークステーションが管理対象装置を集線制御し、管理対象装置と上記監視センタとの間に通信路を形成する集線制御システムにおいて、
上記中継ワークステーションに各管理対象装置からの送信データを格納する送信バッファと、監視センタから受信された受信データを格納する受信バッファとを設け、
各管理対象装置は、各管理対象装置を監視センタに接続する際、接続を依頼するための情報を中継ワークステーションに送出し、中継ワークステーションは、上記管理対象装置から送られた上記接続を依頼するための情報に基づき、監視センタと接続し、
中継ワークステーションが監視センタからの呼び出しを受け付けたとき、中継ワークステーションは監視センタ指定の管理対象装置にその旨を通知して接続の確認を依頼するとともに、中継ワークステーションと監視センタ間の接続を切断し、接続を確認した上記指定の管理対象装置が中継ワークステーションに対して接続依頼を行って上記指定の管理対象装置を監視センタと接続し、
上記各管理対象装置からの送信データを上記送信バッファに格納して、監視センタに順次送信し、また、監視センタから送られた受信データを上記受信バッファに順次格納して、各管理対象装置に送る
ことを特徴とする集線制御システム。
【請求項２】
中継ワークステーションは監視センタへの送信情報および監視センタからの受信情報を各管理対象装置毎に送信バッファおよび受信バッファに格納して管理する
ことを特徴とする請求項１の集線制御システム。
【請求項３】
各管理対象装置の送信情報に重みを付け、中継ワークステーションは上記重み付けに従ってデータの送信順を制御する
ことを特徴とする請求項２の集線制御システム。
【請求項４】
監視センタからの受信情報に重みを付け、中継ワークステーションは、上記重み付けに従って各管理対象装置への配信順を制御する
ことを特徴とする請求項２または請求項３の集線制御システム。
【請求項５】
管理対象装置からの依頼等により中継ワークステーションが監視センタと接続されているとき、他の管理対象装置からの接続要求に対して、中継ワークステーションが接続完了を上記他の管理対象装置に通知することにより、他の管理対象装置と監視センタ間の通信を可能とした
ことを特徴とする請求項１の集線制御システム。
【請求項６】
回線制御機構を中継ワークステーションと、各管理対象装置の内の主となる管理対象装置に設け、
中継ワークステーションが通信不能になったとき、上記主となる管理対象装置の回線制御機構を介して各管理対象装置と監視センタが通信を行う
ことを特徴とする請求項１の集線制御システム。
【発明の詳細な説明】
【０００１】
【産業上の利用分野】
本発明は電子計算機システムにおける複数の管理対象と監視センタとの通信路を制御する集線制御システムに関する。
【０００２】
【従来の技術】
ホスト計算機等から構成される管理対象装置を予防保守するため、管理対象装置と監視センタ等を通信路で接続し、ホスト計算機等の管理対象装置に障害が発生したとき、障害データを監視センタに送り、監視センタから当該管理対象装置に障害回復データを送信したり、あるいは監視センタで障害原因を解析し障害等に対処する予防保守システムが利用されている。
【０００３】
図７は上記した予防保守システムにおける従来の集線制御システムの構成を示す図である。
同図において、Ａ，Ｂ，…，ｎはホスト計算機等の管理対象装置、Ｍ１１〜Ｍ１３はモデム、ＳＷは回線を切り換えるスィツチャ、Ｎｅｔは公衆回線網、ＳＶは監視センタである。
【０００４】
同図に示すように、例えば、管理対象装置Ａ，Ｂはそれぞれ、モデムＭ１１，Ｍ１２、スイッチャＳＷ、公衆回線網Ｎｅｔ、モデムＭ２１、モデムＭ２２を介して監視センタＳＶに接続され、また、管理対象装置ｎはモデムＭ１３、公衆回線網Ｎ、モデムＭ２３を介して監視センタＳＶに接続されている。
そして、例えば、管理対象装置Ａと監視センタＳＶ間で情報伝送する場合には、モデムＭ１１→スイッチャＳＷ→公衆回線網Ｎｅｔ→モデムＭ２１を介して行われる。
【０００５】
【発明が解決しようとする課題】
上記した従来の集線制御システムにおいては、次のような問題があった。
（１）管理対象装置毎にモデム、回線等の回線設備が必要となる。
（２）監視センタ側に、回線、モデム、スイッチネットなどの多くの回線設備が必要となる。また回線ビジイを無くすためには管理対象装置分の回線設備が必要である。
（３）監視センタに回線設備が十分に用意できない場合、回線ビジイ率が高くなり、本来の監視センタとしての役割が不十分となる。
【０００６】
本発明は上記した従来技術の問題点を解決するためになされたものであって、本発明の第１の目的は、複数の管理対象装置と監視センタとの同時通信を可能とし、回線ビジイの低減を図ることができる集線制御システムを提供することである。
本発明の第２の目的は、即時性の高い情報をタイムリに授受することができ、データ授受を効率的に行うことができる集線制御システムを提供することである。
【０００７】
本発明の第３の目的は、セキュリティ機能、セーフティ機能を強化でき、また、各管理対象毎に、モデム、回線等の回線設備が不要な集線制御システムを提供することである。
【０００８】
【課題を解決するための手段】
図１は本発明の原理図である。同図において、Ａ，Ｂ，…，ｎは管理対象装置、ＷＫは中継ワークステーションであり、中継ワークステーションＷＫは、送信バッファＢ１と受信バッファＢ２とを備え、管理対象装置を集線制御し管理対象装置と上記監視センタとの間に通信路を形成する。また、Ｍはモデム、ＳＶは監視センタであり、モデムＭと監視センタＳＶは公衆回線網等を介して接続されている。
【０００９】
前記課題を解決するため、図１に示すように、本発明の請求項１の発明は、複数の管理対象装置と、複数の管理対象装置と接続された少なくとも一つの中継ワークステーションと、該中継ワークステーションに通信路を介して接続された監視センタとを備え、上記中継ワークステーションが管理対象装置を集線制御し、管理対象装置と上記監視センタとの間に通信路を形成する集線制御システムにおいて、上記中継ワークステーションに各管理対象装置からの送信データを格納する送信バッファと、監視センタから受信された受信データを格納する受信バッファとを設け、各管理対象装置は、各管理対象装置を監視センタに接続する際、接続を依頼するための情報を中継ワークステーションに送出し、中継ワークステーションは、上記管理対象装置から送られた上記接続を依頼するための情報に基づき、監視センタと接続し、中継ワークステーションが監視センタからの呼び出しを受け付けたとき、中継ワークステーションは監視センタ指定の管理対象装置にその旨を通知して接続の確認を依頼するとともに、中継ワークステーションと監視センタ間の接続を切断し、接続を確認した上記指定の管理対象装置が中継ワークステーションに対して接続依頼を行って上記指定の管理対象装置を監視センタと接続し、上記各管理対象装置からの送信データを上記送信バッファに格納して、監視センタに順次送信し、また、監視センタから送られた受信データを上記受信バッファに順次格納して、各管理対象装置に送るように構成したものである。
【００１０】
本発明の請求項２の発明は、請求項１の発明において、中継ワークステーションは監視センタへの送信情報および監視センタからの受信情報を各管理対象装置毎に送信バッファおよび受信バッファに格納して管理するように構成したものである。
本発明の請求項３の発明は、請求項２の発明において、各管理対象装置の送信情報に重みを付け、中継ワークステーションは上記重み付けに従ってデータの送信順を制御するように構成したものである。
【００１１】
本発明の請求項４の発明は、請求項２または請求項３の発明において、監視センタからの受信情報に重みを付け、中継ワークステーションは、上記重み付けに従って各管理対象装置への配信順を制御するように構成したものである。
【００１２】
本発明の請求項５の発明は、請求項１の発明において、管理対象装置からの依頼等により中継ワークステーションが監視センタと接続されているとき、他の管理対象装置からの接続要求に対して、中継ワークステーションが接続完了を上記他の管理対象装置に通知することにより、他の管理対象装置と監視センタ間の通信を可能としたものである。
【００１３】
本発明の請求項６の発明は、請求項１の発明において、回線制御機構を中継ワークステーションと、各管理対象装置の内の主となる管理対象装置に設け、中継ワークステーションが通信不能になったとき、上記主となる管理対象装置の回線制御機構を介して各管理対象装置と監視センタが通信を行うように構成したものである。
【００１４】
【作用】
図１において、中継ワークステーションＷＫは次のようにして、管理対象装置Ａ〜ｎと監視センタＳＶ間の集線制御を行う。
（ａ）  管理対象装置からの依頼による監視センタとの通信路の確立
管理対象装置Ａ〜ｎが電話番号、監視センタＩＤ等の接続を依頼する情報を中継ワークステーションＷＫに送出すると、中継ワークステーションＷＫは監視センタＳＶを呼び出す。そして、監視センタＳＶから送られた監視センタＩＤと上記管理対象装置が送出した監視センタＩＤとの照合等により両者が接続可であることを確認し、監視センタとの接続を行う。
【００１５】
また、中継ワークステーションＷＫと監視センタＳＶとが接続中に他の管理対象装置から接続依頼があると、上記と同様、監視センタＩＤの照合等により両者が接続可であることを確認し、接続許可を他の管理対象装置に通知する。これにより、他の管理対象装置は、既に接続済みの管理対象装置と同時に通信することが可能となる。
（ｂ）  管理対象装置と監視センタ間のデータの送受信
管理対象装置Ａ〜ｎから送出された送信データは中継ワークステーションＷＫの送信バッファＢ１に各管理対象装置毎に格納され、送信バッファＢ１から監視センタＳＶに順次送信される。また、監視センタＳＶから送られ中継ワークステーションで受信されたデータは受信バッファＢ２に各管理対象装置毎に格納され、各管理対象装置に順次配信される。
【００１６】
また、上記送信バッファＢ１、受信バッファＢ２には送受信データの重み情報が格納され、中継ワークステーションＷＫは上記重み付けに従ってデータを送信順、配信順を制御する。
（ｃ）  監視センタからの呼び出しによる監視センタと管理対象装置間の接続
監視センタＳＶが中継ワークステーションＷＫを呼び出し、監視センタＩＤ等の確認情報を送出すると、中継ワークステーションＷＫは指定された管理対象装置に接続依頼があったことを通知するとともに、監視センタＳＶから送られた監視センタＩＤ等の確認情報を送出し接続を切断する。
【００１７】
上記指定された管理対象装置は、上記監視センタＩＤ等を照合し、接続可の場合、監視センタＳＶを呼び出し接続する。
（ｄ）  中継ワークステーションの回線制御機構異常時における通信の確保
中継ワークステーションＷＫの回線制御機構が異常が発生したとき、管理対象装置から接続依頼またはデータ授受依頼を受けると、中継ワークステーションＷＫは、回線制御機構を持つ管理対象装置Ａに対して通信不能を通知する。
【００１８】
そして上記管理対象装置Ａは中継ワークステーションＷＫから転送された接続依頼またはデータ授受依頼に応じて接続またはデータの授受を行う。
本発明の請求項１，２の発明においては、上記のように、中継ワークステーションに各管理対象装置からの送信データを格納する送信バッファと、監視センタから受信された受信データを格納する受信バッファとを設け、上記各管理対象装置からの送信データを上記送信バッファに格納して、監視センタに順次送信し、また、監視センタから送られた受信データを上記受信バッファに順次格納して、各管理対象装置に送るように構成し、送信情報および受信情報を各管理対象装置毎に管理するようにしたので、中継ワークステーションを介して、各管理対象装置が同時に監視センタとデータの送受信をすることができ、効率的な通信を行うことができる。また、回線ビジイの低減を図ることができる。
また、各管理対象装置を監視センタに接続する際、接続を依頼するための情報を中継ワークステーションに送出し、中継ワークステーションが、上記接続を依頼するための情報に基づき監視センタと接続し、中継ワークステーションが監視センタからの呼び出しを受け付けたとき、監視センタ指定の管理対象装置にその旨を通知して接続の確認を依頼するとともに、中継ワークステーションと監視センタ間の接続を切断し、上記指定の管理対象装置が中継ワークステーションに対して接続依頼を行って上記指定の管理対象装置を監視センタと接続するように構成したので、管理対象装置からの依頼による監視センタとの接続、および、監視センタからの呼び出しによる管理対象装置との接続を確実に行うことができ、セキュリティを向上させることができる。
【００１９】
さらに、中継ワークステーションを設け、各管理対象装置と接続したので、各管理対象装置および監視センタに各管理対象毎にモデム等の回線設備を設ける必要がなく、構成を簡単化することができる。
本発明の請求項３，４の発明においては、各管理対象装置の送信情報、監視センタからの受信情報に重みを付け、中継ワークステーションは上記重み付けに従ってデータの送信順、配信順を制御するように構成したので、即時性の高い情報をタイムリに授受することができる。
【００２０】
本発明の請求項５の発明においては、中継ワークステーションが監視センタと接続されているとき、他の管理対象装置からの接続要求に対して、中継ワークステーションが接続完了を上記他の管理対象装置に通知するようにしたので、他の管理対象装置は上記通知を受けて、監視センタＩＤ、送信データ等を送出することができ、既に中継ワークステーションと管理対象装置が接続済みであっても、他の管理対象装置と監視センタ間で通信を行うことが可能となる。
【００２１】
本発明の請求項６の発明においては、回線制御機構を中継ワークステーションと、各管理対象装置の内の主となる管理対象装置に設け、中継ワークステーションが通信不能になったとき、上記主となる管理対象装置の回線制御機構を介して各管理対象装置と監視センタが通信を行うようにしたので、中継ワークステーションの回線制御機構が異常になっても通信を確保することができ、信頼性を向上させることができる。
【００２２】
【実施例】
図２は本発明の実施例におけるデータ通信路確立手順を示し、同図は、管理対象装置から監視センタを呼び出して両者を接続する場合の手順を示している。
同図において、Ａ，Ｂ，…，ｎは管理対象装置、ＷＫは中継ワークステーション、Ｍはモデムであり、管理対象装置Ａ，Ｂ，…，ｎは中継ワークステーションＷＫを介してモデムＭに接続され、図７と同様、モデムＭは図示しない公衆回線網、モデムを介して監視センタに接続される。
【００２３】
次に、同図により、管理対象装置Ａから監視センタを呼び出して両者を接続する場合の接続手順を説明する。
まず、管理対象装置Ａから中継ワークステーションへ接続するための情報として、電話番号、監視センタＩＤを送信する。
中継ワークステーションＷＫは上記電話番号により自動ダイヤリングを行いモデムＭを介して監視センタと接続を行う。
【００２４】
これに応じて監視センタは接続の許可をするため監視センタＩＤを中継ワークステーションに送信し、中継ワークステーションＷＫは上記監視センタＩＤと管理対象装置Ａから送られた監視センタＩＤとを照合し、一致したとき、接続を完了する。また、監視センタＩＤが不一致の場合には接続を拒否し回線を即時に切断する。
【００２５】
図３は図２に説明した手順で中継ワークステーションと監視センタ間が接続状態にあるとき、管理対象装置Ｂから接続依頼が発生した場合の動作を示す図である。
上記のように管理対象装置Ａと監視センタ間が接続状態にあるとき、管理対象装置Ｂから接続依頼が発生したすると、管理対象装置Ｂは、管理対象装置Ａの接続状態を意識せずに、中継ワークステーションＷＫへ接続するための情報として電話番号と監視センタＩＤを送信する。
【００２６】
中継ワークステーションＷＫは、既に中継ワークステーションＷＫと監視センタが接続中であるので、前記した接続時の監視センタＩＤと上記管理対象装置Ｂから送られた監視センタＩＤを照合する。そして、両者のＩＤが一致すると、接続完了を管理対象装置Ｂへ報告し、以後、管理対象装置Ａと管理対象装置Ｂは監視センタと同時通信が可能となる。
【００２７】
また、両者のＩＤが一致しない場合には、接続拒否を管理対象装置Ｂへ報告し、データの送受が不可であることを通知する。
以上のように中継ワークステーションを設け、中継ワークステーションを介して各管理対象装置と監視センタとを接続することにより、管理対象装置側および監視センタ側にモデム等の回線設備を設ける必要がなく構成を簡単にすることができる。
【００２８】
図４は監視センタから管理対象装置を呼び出して両者を接続する場合の動作を示す図であり、同図は、監視センタＳＶが管理対象装置Ｂを呼び出す場合を示している。
監視センタＳＶから各管理対象装置との通信を開始するため、監視センタＳＶが中継ワークステーションＷＫへ自動ダイヤリングして両者を接続すると、監視センタＳＶは中継ワークステーションＷＫへ監視センタＩＤと接続先管理対象名Ｂを送信する。
【００２９】
中継ワークステーションＷＫは、監視センタＳＶから接続依頼のあった管理対象装置Ｂへ接続依頼があったことを報告するとともに、中継ワークステーションＷＫと監視センタＳＶ間の回線を一旦切断する。
一方、管理対象装置Ｂは送信された監視センタＩＤと自己が持つ監視センタＩＤとの照合を行い、不一致の場合には監視センタへの接続は行わない。また、上記ＩＤが一致すると、管理対象装置Ｂは接続するための情報として電話番号と監視センタＩＤを中継ワークステーションＷＫに送出する。中継ワークステーションＷＫは管理対象装置Ｂから伝送された電話番号により自動ダイヤリングを行い、監視センタとの接続を行う。
【００３０】
上記のように、中継ワークステーションと監視センタ間の回線を一旦切断したのち、中継ワークステーションから自動ダイヤリングして監視センタを呼び出すことにより、管理対象装置と監視センタを確実に接続することができ、セキュリティーを確保することができる。
すなわち、正しい監視センタＩＤが付されて管理対象装置が呼び出だされても呼び出し元が監視センタであるという保証はなく、他の装置であることもあり得る。そこで、上記のように、回線を一旦切断したのち中継ワークステーションから監視センタに自動ダイヤリングすることによりセキュリティーを確保する。
【００３１】
図５は複数の管理対象装置Ａ，Ｂ，…，ｎが監視センタと中継ワークステーションＷＫを通じて接続状態にあるとき、各管理対象装置から監視センタへデータを伝送する場合の動作を示す図である。
同図において、Ｂ１は各管理対象装置から監視センタへの送信データを格納する送信バッファ、Ｂ２は監視センタから各管理対象装置へ送られた受信データを格納する受信バッファであり、送信バッファＢ１、受信バッファＢ２はそれぞれ中継ワークステーションＷＫに設けられ、データの優先度を示すランク情報と、管理対象装置名と、管理対象毎の送信データ／受信データを格納する領域を備えている。また、ＳＶは監視センタであり、中継ワークステーションＷＫと監視センタＳＶは前記図７に示したように公衆回線網を介して接続されている。
【００３２】
次に図５により、管理対象装置Ａ，Ｂ，…，ｎと監視センタ間のデータ送受について説明する。
管理対象装置Ａ，Ｂ，…，ｎが監視センタＳＶと中継ワークステーションＷＫを通じて接続状態にあるとき、各管理対象装置Ａ，Ｂ，…ｎが中継ワークステーションＷＫに送信データを送信すると、中継ワークステーションＷＫは各管理対象装置からの送信データを、送信内容等に基づき例えば「高」、「中」、「低」のように優先度順にランク付けし、管理対象装置名（同図のＡ，Ｂ，…，ｎ）とともに送信バッファＢ１に格納する。そして、送信データをパケット化し、管理対象装置名とともに、ランクの高い送信データから順番に監視センタＳＶに伝送する（同図の場合には、同図の丸数字に示すように、管理対象装置Ｂ，Ａ，ｎの順に送信データが伝送される）。
【００３３】
監視センタＳＶが上記送信データを受信すると、監視センタＳＶは、パケット化された送信データを監視センタ内の各管理対象装置毎に設けられたデータベース（図示せず）に分配する。
一方、上記のように管理対象装置Ａ，Ｂ，…，ｎと監視センタ接続状態にあるとき、中継ワークステーションＷＫが監視センタＳＶにデータの送信をランク付けして要求すると、監視センタＳＶはパケット化されたデータを中継ワークステーションＷＫに要求されたランク順に伝送する。中継ワークステーションＷＫは送信されたデータを受信し、受信バッファＢ２にランク、管理対象装置名とともに格納する。そして、受信したデータをランク順に各管理対象装置Ａ，Ｂ，…，ｎに配信する。
【００３４】
以上のように、中継ワークステーションに送受信バッファを設け、送受信データをランク付けして管理することにより、複数の管理対象装置と監視センタ間で、同時通信することが可能となり、また、即時性の高いデータをタイムリにかつ効率的に送受することが可能となる。
図６は中継ワークステーションの回線制御機能に異常が発生した場合でも管理対象装置と監視センタ間の通信を確保することができる実施例を示す図である。
【００３５】
同図において、Ａ，Ｂ，…，ｎは管理対象装置、ＷＫは回線制御機能を備えたワークステーション、Ｍはモデムであり、管理対象装置Ａ，Ｂ，…ｎ、ワークステーションＷＫ、モデムは前記図２〜図５に示した機能を備えており、また、管理対象装置ＡにはワークステーションＷＫと同様に回線制御機構が設けられモデムＭを介して監視センタと通信することができる。
【００３６】
同図において、通常、各管理対象装置Ａ，Ｂ，…，ｎは前記したように中継ワークステーションＷＫを介して図示しない監視センタと通信する。
中継ワークステーションＷＫの回線制御機能に異常が発生すると、中継ワークステーションＷＫは各管理対象装置からの接続依頼またはデータ授受依頼を受けたとき、管理対象装置Ａに対して通信不能を通知する。
【００３７】
そして、上記接続依頼またはデータ授受依頼は、中継ワークステーションＷＫを介して管理対象装置Ａに転送され、管理対象装置Ａは上記依頼に応じて監視センタとの接続またはデータの接受を行う。
本実施例においては、上記のように、管理対象装置のうちの少なくとも一つに回線制御機構を設けて、監視センタとの通信を行うことができるようにしたので、中継ワークステーションＷＫの回線制御機能に異常が発生した場合であっも、監視センタとの通信を行うことができ、セーフティ機能を向上させることができる。
【００３８】
【発明の効果】
以上説明したように本発明は以下の効果を得ることができる。
（１）中継ワークステーションを設け、各管理対象装置と接続したので、各管理対象装置および監視センタに各管理対象毎にモデム等の回線設備を設ける必要がなく、構成を簡単化することができる。
（２）中継ワークステーションに各管理対象装置からの送信データを格納する送信バッファと、監視センタから受信された受信データを格納する受信バッファとを設け、送信データおよび受信データを上記バッファに格納して、監視センタおよび各管理対象装置に順次送出し、また、送信情報および受信情報を各管理対象装置毎に管理するようにしたので、中継ワークステーションを介して、各管理対象装置が同時に監視センタとデータの送受信をすることができ、効率的な通信を行うことができるとともに、回線ビジイの低減を図ることができる。
【００３９】
さらに、各管理対象装置の送信情報、監視センタからの受信情報に重みを付け、中継ワークステーションが上記重み付けに従ってデータの送信順、配信順を制御するようにしたので即時性の高い情報をタイムリに授受することができる。
（３）各管理対象装置を監視センタに接続する際、接続を依頼するための情報を中継ワークステーションに送出し、中継ワークステーションが、上記接続を依頼するための情報に基づき監視センタと接続し、また、中継ワークステーションが監視センタからの呼び出しを受け付けたとき、監視センタ指定の管理対象装置にその旨を通知して接続の確認を依頼したのち、接続を切断し、上記指定の管理対象装置が中継ワークステーションに対して接続依頼を行って上記指定の管理対象装置を監視センタと接続するようにしたので、管理対象装置と監視センタとの接続を確実に行うことができ、セキュリティを向上させることができる。
（４）中継ワークステーションが監視センタと接続されているとき、他の管理対象装置からの接続要求に対して、中継ワークステーションが接続完了を上記他の管理対象装置に通知するようにしたので、他の管理対象装置は上記通知を受けて、監視センタＩＤ、送信データ等を送出することができ、既に中継ワークステーションと管理対象装置が接続済みであっても、他の管理対象装置と監視センタ間で通信を行うことが可能となる。
（５）回線制御機構を管理対象装置の内の主となる管理対象装置に設け、中継ワークステーションが通信不能になったとき、管理対象装置の回線制御機構を介して各管理対象装置と監視センタが通信を行うようにしたので、中継ワークステーションの回線制御機構が異常になっても通信を確保することができ、信頼性を向上させることができる。
【図面の簡単な説明】
【図１】本発明の原理図である。
【図２】本発明の実施例におけるデータ通信路確立手順を示す図である。
【図３】他の管理対象装置から接続依頼が発生した場合の動作を示す図である。
【図４】監視センタからの呼び出し時における接続手順を示す図である。
【図５】管理対象装置と監視センタ間のデータの送受を示す図である。
【図６】中継ワークステーションの通信不能に対処する実施例を示す図である。
【図７】従来例を示す図である。
【符号の説明】
Ａ，Ｂ，…，ｎ        管理対象装置
ＷＫ                  中継ワークステーション
Ｂ１                  送信バッファ
Ｂ２                  受信バッファ
Ｍ                    モデム
ＳＶ                  監視センタ
【図１】
0003562866.tif 000002
【図２】
0003562866.tif 000003
【図３】
0003562866.tif 000004
【図４】
0003562866.tif 000005
【図５】
0003562866.tif 000006
【図６】
0003562866.tif 000007
【図７】
0003562866.tif 000008